(57)【要約】      （修正有）【課題】一度設置すればその位置で左右のバッターボックスとキャッチャーボックスを作成することができる、線引き補助器具を提供する。【解決手段】線引き補助器具Ａ２は、基部材１と、基部材１に設けられた両ファウルラインの交点Ｄとピッチャーズプレートの中心を通る基準線４に合わせるための中心基準部１７を設える。さらに、基部材１に設けられ両ファウルラインの交点Ｄに合わせるための基準点１５，１５ａと、基部材１の両側に設けられ又は設けることができ、基準点１５，１５ａを両ファウルラインの交点Ｄに合わせたときに両バッターボックスの作成の基準となる型部材２と、基部材１又は型部材２に設けられキャッチャーボックスの寸法を単体又は組合せによって表すことができるキャッチャーボックス寸法設定手段１０，１０ａ、２４とを備えている。【選択図】図４
0003164226.tif 000002
【実用新案登録請求の範囲】
【請求項１】
野球又はソフトボールのバッターボックス及びキャッチャーボックスの線引きを補助する線引き補助器具であって、
板状の基部材(1),(3)と、
当該基部材(1),(3)に設けられ両ファウルライン(5,6)の交点(D)とピッチャーズプレートの中心を通る基準線(4)に合わせるための中心基準部(17),(37)と、
前記基部材(1),(3)に設けられ両ファウルライン(5,6)の交点(D)に合わせるための基準点(15,15a),(35,35a)と、
前記基部材(1),(3)の両側に設けられ又は設けることができ、前記基準点(15,15a),(35,35a)を両ファウルライン(5,6)の交点(D)に合わせたときに両バッターボックスの作成の基準となるバッターボックス寸法設定手段(20,21),(M1,M2,M5)を有する型部材(2),(32,32a)と、
前記基部材(1),(3)又は型部材(2),(32,32a)に設けられキャッチャーボックスの作成の基準となるキャッチャーボックス寸法設定手段(10,10a,21,24),(30,30a,M3,M4)と、
を備えている、
バッターボックス及びキャッチャーボックスの線引き補助器具。
【請求項２】
基準点(15,15a)(35,35a)が、基部材(1,3)の長手方向の中間部を対称軸とする対称位置の二箇所に設けられている、
請求項項１記載のバッターボックス及びキャッチャーボックスの線引き補助器具。
【請求項３】
基部材(1),(3)が対称軸の部分で折り畳み自在である、
請求項２記載のバッターボックス及びキャッチャーボックスの線引き補助器具。
【請求項４】
ソフトボールのバッターボックス及びキャッチャーボックスの線引きを補助する線引き補助器具であって、
長方形の板状で長手方向の中間部を対称軸として折り畳み自在な基部材(1)と、
当該基部材(1)に設けられ両ファウルライン(5,6)の交点(D)とピッチャーズプレートの中心を通る基準線(4)に合わせるための中心基準部(17)と、
前記基部材(1)に形成された窓部(14)縁部に設けられ両ファウルライン(5,6)の交点(D)に合わせるために、基部材(1)の長手方向の中間部を対称軸とした対称位置の二箇所に設けられた基準点(15,15a)と、
バッターボックスの幅と同じ長さを有し、前記基部材(1)の両側の長手方向両端部に配置し、前記基準点(15,15a)を両ファウルライン(5,6)の交点(D)に合わせたときに両バッターボックスの作成の基準となる型部材(2)と、
を備えており、
前記型部材(2)と伸展した前記基部材(1)を長さ方向へつなぐことでソフトボール用のキャッチャーボックスの長さと同じになるようにしてある、
バッターボックス及びキャッチャーボックスの線引き補助器具。
【請求項５】
野球用のバッターボックス及びキャッチャーボックスの線引きを補助する線引き補助器具であって、
長方形の板状で長手方向の中間部を対称軸として折り畳み自在な基部材(1)と、
当該基部材(1)に設けられ両ファウルライン(5,6)の交点(D)とピッチャーズプレートの中心を通る基準線(4)に合わせるための中心基準部(17)と、
前記基部材(1)に形成された窓部(14)縁部に設けられ両ファウルライン(5,6)の交点(D)に合わせるために、基部材(1)の長手方向の中間部を対称軸とした対称位置の二箇所に設けられた基準点(15,15a)と、
バッターボックスの幅と同じ長さを有し、前記基部材(1)の両側の長手方向両端部に配置し、前記基準点(15,15a)を両ファウルライン(5,6)の交点(D)に合わせたときに両バッターボックスの作成の基準となる型部材(2)と、
を備えており、
前記型部材(2)の短手方向の幅は、前記基部材(1)の両側に幅方向へつなぐことで全幅が野球用のキャッチャーボックスの幅と同じになるようにしてあり、
前記基部材(1)又は型部材(2)には、基部材(1)を使用して、野球用のキャッチャーボックスの長さを基部材(1)の長さより3.5インチ(約8.89cm)短く採寸するための寸法調節手段(2)を備えている、
バッターボックス及びキャッチャーボックスの線引き補助器具。
【請求項６】
野球又はソフトボールのバッターボックス及びキャッチャーボックスの線引きを補助する線引き補助器具であって、
長方形の板状で長手方向の中間部を対称軸として折り畳み自在な基部材(3)と、
当該基部材(3)に設けられ両ファウルライン(5,6)の交点(D)とピッチャーズプレートの中心を通る基準線(4)に合わせるための中心基準部(37)と、
前記基部材(3)に形成された窓部(34)縁部に設けられ両ファウルライン(5,6)の交点(D)に合わせるために、基部材(3)の長手方向の中間部を対称軸とした対称位置の二箇所に設けられた基準点(35,35a)と、
前記基部材(3)の両側の長手方向両端部に設けられており、前記基準点(35,35a)を両ファウルライン(5,6)の交点(D)に合わせたときに両バッターボックスの作成の基準となるバッターボックス寸法設定手段(M1,M2,M5)を有する型部材(32,32a)と、
前記型部材(32,32a)に設けられキャッチャーボックスの幅を表すキャッチャーボックス幅設定手段(30,30a,M3,M4)と、
前記基部材(1)又は型部材(2)には、基部材(1)を使用して、野球用のキャッチャーボックスの長さを基部材(1)の長さより3.5インチ(約8.89cm)短く採寸するための寸法調節手段(32,32a)(36,369,300)を備えている、
バッターボックス及びキャッチャーボックスの線引き補助器具。
【考案の詳細な説明】
【技術分野】
【０００１】
本考案は、野球やソフトボール用のバッターボックス及びキャッチャーボックスの線引き補助器具に関するものである。更に詳しくは、バッターボックス及びキャッチャーボックスのラインを引く作業をメジャーを使用することなく行うことができる線引き補助器具であって、一度設置すれば、その設置で左右のバッターボックスの作成を行うことができると共に、器具を使用してキャッチャーボックスを作成することができるものに関する。
【背景技術】
【０００２】
野球やソフトボールのゲームを公式に行う際には、野球規則やソフトボール規則等の各規則に基づき、本塁一塁線、一塁二塁線、二塁三塁線及び本塁三塁線からなるダイヤモンドと、左右のバッターボックス、キャッチャーボックス、コーチャーズボックス、ピッチャーズサークル等の線引きによる作成が行われる。
特に、左右のバッターボックス、キャッチャーボックスについては、メジャーを使用した一般的な方法では作成に手間がかかりすぎるため、従来よりバッターボックスの線引きを正確かつ効率よく行うための補助器具が提案されており、例えば特許文献１に記載の「携帯ダイヤモンド諸線線引き用具」がある。
【０００３】
この線引き用具は、（ア）バッターズボックスの縦方向杆と横方向杆から成る、野球及びソフトボール規定則に基づくバッターズボックス枠は、ホームベース形の縦方向の中心線部に固定された基本杆と、平行になるように連結杆によって繋がれており、
（イ）横方向杆と縦方向杆、横方向杆と縦方向杆、縦方向杆と連結杆、基本杆と連結杆はピンによって、また、縦方向杆と連結杆はピンによって、それぞれ屈伸自在に留められており、
（ウ）横方向杆、縦方向杆、先端部に補足杆を接続キャップにより接続された横方向杆を直線状に伸ばし、横方向杆の先端部を起点として、規定則に基づくピッチャーズプレート長、スリーフットライン幅、ファールラインからコーチャーズボックス間長、キャッチャーズボックス長及びコーチャーズボックス奥行、コーチャーズボックス長がそれぞれ表示されており、
（エ）補足杆の基部を起点とするバッターズ・オン・ディックサークルの半径が突起によって、先端部に補足杆を接続キャップにより接続された基本杆の基部を起点とするピッチャーズマウンドの半径が突起によって、表示されており、
（オ）折り畳み収縮し、ホームベース形によって杆を包むようにして巻き、装着器具の付いた紐で固定し収納する、というものである。
【先行技術文献】
【特許文献】
【０００４】
【特許文献１】実開昭６３−１５６６７３号公報
【考案の概要】
【考案が解決しようとする課題】
【０００５】
しかしながら、前記従来の線引き用具には次のような課題があった。
まず、この線引き用具を使用してバッターボックスを作成するときには、バッターボックスの片側ずつを作成するが、一方側のバッターボックスを作成した後に、用具を反転させてホームベースとピッチャーズプレートを結ぶ中心線に補足杆(12)を合わせる位置合わせを行わなければならない。この作業は面倒な作業であり、左右のバッターボックスの作成に余分な手間がかかり、効率が悪い。
【０００６】
また、この用具だけを使用してキャッチャーボックスの作成をする手段は開示されていないので、キャッチャーボックスの作成については、メジャーを使用して従来の非効率的な線引き作業を行わなければならない。なお、特許文献１の実用新案登録請求の範囲の（ウ）に「キャッチャーズボックス長及びコーチャーズボックス奥行(18)」との記載があり、図２にも符号(18)の記載はあるが、明細書において、その構成及び使用方法について何ら説明がされておらず、これらの詳細は不明である。
【０００７】
（本考案の目的）
本考案は、野球やソフトボール用の左右のバッターボックスを作成するにあたっては、従来の用具のように作業の途中において左右を反転させて位置合わせをやり直す等の手間をかける必要がなく、一度設置すれば、その位置で左右のバッターボックスを作成することができると共に、キャッチャーボックスを作成するにあたっては、この器具を使用してメジャーを使用することなく作成することができる、バッターボックス及びキャッチャーボックスの線引き補助器具を提供することを目的とする。
【課題を解決するための手段】
【０００８】
上記課題を解決するために本考案が講じた手段は次のとおりである。
（１）本考案は、
野球又はソフトボールのバッターボックス及びキャッチャーボックスの線引きを補助する線引き補助器具であって、
板状の基部材と、
当該基部材に設けられ両ファウルラインの交点とピッチャーズプレートの中心を通る基準線に合わせるための中心基準部と、
前記基部材に設けられ両ファウルラインの交点に合わせるための基準点と、
前記基部材の両側に設けられ又は設けることができ、前記基準点を両ファウルラインの交点に合わせたときに両バッターボックスの作成の基準となるバッターボックス寸法設定手段を有する型部材と、
前記基部材又は型部材に設けられキャッチャーボックスの作成の基準となるキャッチャーボックス寸法設定手段と、
を備えている、
バッターボックス及びキャッチャーボックスの線引き補助器具である。
【０００９】
（２）本考案は、
基準点が、基部材の長手方向の中間部を対称軸とする対称位置の二箇所に設けられている、
前記（１）のバッターボックス及びキャッチャーボックスの線引き補助器具である。
【００１０】
（３）本考案は、
基部材が対称軸の部分で折り畳み自在である、
前記（２）のバッターボックス及びキャッチャーボックスの線引き補助器具である。
【００１１】
（４）本考案は、
ソフトボールのバッターボックス及びキャッチャーボックスの線引きを補助する線引き補助器具であって、
長方形の板状で長手方向の中間部を対称軸として折り畳み自在な基部材(1)と、
当該基部材に設けられ両ファウルラインの交点とピッチャーズプレートの中心を通る基準線に合わせるための中心基準部と、
前記基部材に形成された窓部縁部に設けられ両ファウルラインの交点に合わせるために、基部材の長手方向の中間部を対称軸とした対称位置の二箇所に設けられた基準点と、
バッターボックスの幅と同じ長さを有し、前記基部材の両側の長手方向両端部に配置し、前記基準点を両ファウルラインの交点に合わせたときに両バッターボックスの作成の基準となる型部材と、
を備えており、
前記型部材と伸展した前記基部材を長さ方向へつなぐことでソフトボール用のキャッチャーボックスの長さと同じになるようにしてある、
バッターボックス及びキャッチャーボックスの線引き補助器具である。
【００１２】
（５）本考案は、
野球用のバッターボックス及びキャッチャーボックスの線引きを補助する線引き補助器具であって、
長方形の板状で長手方向の中間部を対称軸として折り畳み自在な基部材と、
当該基部材に設けられ両ファウルラインの交点とピッチャーズプレートの中心を通る基準線に合わせるための中心基準部と、
前記基部材に形成された窓部縁部に設けられ両ファウルラインの交点に合わせるために、基部材の長手方向の中間部を対称軸とした対称位置の二箇所に設けられた基準点と、
バッターボックスの幅と同じ長さを有し、前記基部材の両側の長手方向両端部に配置し、前記基準点を両ファウルラインの交点に合わせたときに両バッターボックスの作成の基準となる型部材と、
を備えており、
前記型部材の短手方向の幅は、前記基部材の両側に幅方向へつなぐことで全幅が野球用のキャッチャーボックスの幅と同じになるようにしてあり、
前記基部材又は型部材には、基部材を使用して、野球用のキャッチャーボックスの長さを基部材の長さより3.5インチ(約8.89cm)短く採寸するための寸法調節手段を備えている、
バッターボックス及びキャッチャーボックスの線引き補助器具である。
【００１３】
（６）本考案は、
野球又はソフトボールのバッターボックス及びキャッチャーボックスの線引きを補助する線引き補助器具であって、
長方形の板状で長手方向の中間部を対称軸として折り畳み自在な基部材と、
当該基部材に設けられ両ファウルラインの交点とピッチャーズプレートの中心を通る基準線に合わせるための中心基準部と、
前記基部材に形成された窓部縁部に設けられ両ファウルラインの交点に合わせるために、基部材の長手方向の中間部を対称軸とした対称位置の二箇所に設けられた基準点と、
前記基部材の両側の長手方向両端部に設けられており、前記基準点を両ファウルラインの交点に合わせたときに両バッターボックスの作成の基準となるバッターボックス寸法設定手段を有する型部材と、
前記型部材に設けられキャッチャーボックスの幅を表すキャッチャーボックス幅設定手段と、
前記基部材又は型部材には、基部材を使用して、野球用のキャッチャーボックスの長さを基部材の長さより3.5インチ(約8.89cm)短く採寸するための寸法調節手段を備えている、
バッターボックス及びキャッチャーボックスの線引き補助器具である。
【００１４】
実用新案登録請求の範囲及び明細書にいう「ファウルライン」とは、本塁と一塁を結ぶ線（本塁一塁線）又は本塁と三塁を結ぶ線（本塁三塁線）の意味を含むものである。
【００１５】
実用新案登録請求の範囲及び明細書にいう「キャッチャーボックス寸法設定手段」とは、例えば基部材又は型部材の所要位置、すなわち或る基準となる位置からキャッチャーボックスの縦横の長さと同じ距離を隔てた位置に設けられたマークを使用して寸法を設定するもの、あるいは基部材又は型部材の所要部分の寸法又は或る基準となる位置から所要距離を隔てた位置に設けられたマークを組み合わせて使用し、キャッチャーボックスの縦横の長さと同じ長さを表すようにして寸法を設定するもの等である。
【００１６】
（作用）
本考案に係る野球やソフトボール用のバッターボックス及びキャッチャーボックスの線引き補助器具の作用を説明する。なお、ここでは、説明で使用する各構成要件に、後述する実施の形態において各部に付与した符号を対応させて付与するが、この符号は、実用新案登録請求の範囲の各請求項に記載した符号と同様に、あくまで内容の理解を容易にするためであって、各構成要件の意味を上記各部に限定するものではない。
【００１７】
まず、グラウンドに本塁一塁線、一塁二塁線、二塁三塁線及び本塁三塁線からなるダイヤモンドを作成する。その後、バッターボックス及びキャッチャーボックスの線引き補助器具を、基部材(1)の中心基準部(17)を両ファウルラインの交点(D)とピッチャーズプレートの中心を通る基準線(4)に合わせ、更に基準点(15,15a)を両ファウルラインの交点(D)に合わせて地面に設置する。
【００１８】
基部材(1)の両側にある型部材(2)を使用して、左右両側のバッターボックスを線引きにより作成する。線引き補助器具は、一度設置すれば、作業途中で位置を変えることなくその位置で両バッターボックスを作成することができる。
次に、基部材(1)又は型部材(2)に設けられたキャッチャーボックス寸法設定手段(10,10a,21)(24)を使用して該手段の単体又は組合せによってキャッチャーボックスの寸法を設定し、バッターボックスの後方にキャッチャーボックスを線引きにより作成することができる。
【００１９】
基準点が、基部材の長手方向の中間部を対称軸とする対称位置の二箇所に設けられている、両基準点(15,15a)のうちどちらを両ファウルラインの交点(D)に合わせても両バッターボックスを作成することができるので、作業時に方向性を気にすることなく手早く作業をすることができ、作業効率に優れている。
【００２０】
基部材が対称軸の部分で折り畳み自在であるものは、運搬時や保管時において、線引き補助器具を嵩張らないように小さくすることができるので、使い勝手に優れている。
【考案の効果】
【００２１】
本考案は、野球やソフトボール用の左右のバッターボックスを作成するにあたっては、従来の用具のように作業の途中において左右を反転させて位置合わせをやり直す等の手間をかける必要がなく、一度設置すれば、その位置で左右のバッターボックスを作成することができる。また、キャッチャーボックスを作成するにあたっては、基部材又は型部材に設けられたキャッチャーボックス寸法設定手段を使用して該手段の単体又は組合せによってキャッチャーボックスの寸法を設定し、バッターボックスの後方にキャッチャーボックスを線引きにより作成することができる。
【図面の簡単な説明】
【００２２】
【図１】本考案に係る線引き補助器具の第１の実施形態を示す斜視図。
【図２】図１に示す線引き補助器具を折り畳み纏めた状態を示す斜視図。
【図３】図１に示すソフトボール用の線引き補助器具の使用状態を示す説明図。
【図４】図１に示す野球用の線引き補助器具の使用状態を示す説明図。
【図５】図１に示す野球用の線引き補助器具の使用状態を示し、キャッチャーボックス作成の他例を示す説明図。
【図６】本考案に係る線引き補助器具の第２の実施形態を示す斜視図。
【図７】図６に示す線引き補助器具を折り畳んだ状態を示す斜視図。
【図８】図６に示す線引き補助器具をソフトボール用として使用する際の使用状態を示す説明図。
【図９】図６に示す線引き補助器具をソフトボール用として使用する際の使用状態を示し、バッターボックス作成の他例を示す説明図。
【図１０】図６に示す線引き補助器具を野球用として使用する際の使用状態を示す説明図。
【図１１】図６に示す線引き補助器具を野球用として使用する際の使用状態を示し、キャッチャーボックス作成の他例を示す説明図。
【考案を実施するための形態】
【実施例】
【００２３】
本考案を図面に示した実施の形態に基づき詳細に説明する。
【００２４】
図１及び図２を参照する。
【００２５】
ソフトボール用の線引き補助器具Ａ１は、補助器具本体１と四枚の板状の型部材２を備えており、それらが分離した分離型である。なお、後述する線引き補助器具Ａ２（図４参照）は野球用であり、線引き補助器具Ａ１とは、各構成部材の寸法が異なるだけで、基本的構造は同一である。
【００２６】
補助器具本体１は、所要の長さ及び幅を有する二枚の基板１０、１０ａを有している。基板１０、１０ａは、それぞれの長手方向の一方の端縁部を蝶番１１を介して連結されている。基板１０、１０ａは、蝶番１１を中心として、一方の面側（図１で上面側）へ回動させて基板１０、１０ａ同士を合わせる方向へ折り畳むことができる。
【００２７】
基板１０、１０ａの幅はホームベースと同じ幅（17インチ(約43.18cm)）に形成され、基板１０、１０ａ上面の蝶番１１を挟んだ位置には、ホームベースの位置を示すベースマーク１９、１９ａが蝶番１１を対称軸とした線対称位置に表してある。基板１０、１０ａの展開したときに表れる表面（図１で上面側）には、長手方向に中心線１７が表されている。
【００２８】
前記ベースマーク１９、１９ａの基端角部は、中心線１７上にあり、後述するホームベース基準点１５、１５ａとなっている。なお、基板１０、１０ａのベースマーク１９、１９ａとは反対側の面には、ベースマーク１９、１９ａと同様のベースマーク１９ｃ、１９ｃ（図２参照：基板１０ａ側は図２では見えない）が設けられている。
【００２９】
また、基板１０、１０ａを展開したときの全体の長さはソフトボール用のバッターボックスＢ１、Ｂ２の長さ、84インチ（約213.4cm））と同じ長さに形成されている。基板１０、１０ａを展開したときの長手方向の両端縁部は、後述するホームベース基準点１５又は１５ａを本塁一塁線５と本塁三塁線６（何れもファウルライン）の交点Ｄ（図３参照）に合わせて前記ベースマーク１９又は１９ａをホームベースの位置に重ねたときに、作成するバッターボックスＢ１、Ｂ２の前後の外枠線の位置に合うようになっている（図３参照）。
【００３０】
基板１０、１０ａの長手方向において蝶番１１と反対側端部には、基板１０の幅方向両側に長方形の板状の基準部材１２、１２が取り付けられ、基板１０ａの幅方向両側に同じく長方形の板状の基準部材１２ａ、１２ａが取り付けられている。各基準部材１２、１２ａは、所要の幅（ホームベースの幅方向端部からバッターボックスＢ１、Ｂ２の内枠線までの規格幅で、6インチ（約15.24cm）を有し、長さ方向の一方の端縁部は基板１０、１０ａの長手方向の両端縁部と面一になるように合わせてある。
【００３１】
各基準部材１２、１２、１２ａ、１２ａは、基板１０、１０ａに対しそれぞれ幅方向の一方の端縁部を蝶番１３を介して連結されている。各基準部材１２、１２、１２ａ、１２ａは、蝶番１３を中心として、一方の面側（図１で上面側）へ回動させて基板１０、１０ａと合わせるように折り畳むことができる。なお、各基準部材１２、１２、１２ａ、１２ａと基板１０、１０ａに設けられている符号１８は、各基準部材１２、１２、１２ａ、１２ａを折り畳んだときに、その状態を維持するために磁着させる磁石である。
【００３２】
基板１０、１０ａのそれぞれの中央部には、長方形状の窓部１４、１４ａが基板１０、１０ａの表裏面を貫通して設けられている。各窓部１４、１４ａにおいて蝶番１１に近い側の短辺部中央（前記ベースマーク１９、１９ａの基端角部）のホームベース基準点１５、１５ａは、線引き作業時、本塁一塁線５と本塁三塁線６の交点Ｄに合わせる部分となっている（図３参照）。また、基板１０、１０ａの長手方向において蝶番１１と反対側の両端縁部の中央部には、把手口１６、１６ａが表裏面を貫通して設けられている。
【００３３】
前記のように線引き補助器具Ａ１は、基準部材１２、１２ａを有する基板１０、１０ａが蝶番１１を対称軸とした線対称形状に形成されており、線引き作業時、基板１０、１０ａのどちら側も基準として使用できるので、作業性に優れている。
【００３４】
前記各型部材２は、９０°の角部を有するＬ字形状の板体であり、前記補助器具本体１と組み合わせて使用される。型部材２の短尺部２０の長さは前記基準部材１２、１２ａの長さと同じに形成されている。型部材２の長尺部２１の長さはバッターボックスＢ１、Ｂ２の幅、36インチ（約91.44cm）と同じ長さに形成されている。符号２２は、型部材２の表裏面を貫通して設けられた把手口である。
【００３５】
また、各型部材２の長尺部２１先端の一方の角部はライン基準点２３となっている。ライン基準点２３は、前記のようにホームベース基準点１５又は１５ａを本塁一塁線５と本塁三塁線６の交点Ｄに合わせたときに、本塁一塁線５と本塁三塁線６が通る基準点となる。
【００３６】
（作用）
線引き補助器具Ａ１を使用し、ソフトボール用のバッターボックスＢ１、Ｂ２、キャッチャーボックスＢ３の線引きを行う場合について説明する。なお、図３において表しているバッターボックスＢ１、Ｂ２、キャッチャーボックスＢ３は、線引きの方法が分かりやすいように、あくまで目安として示したもので、線引き補助器具Ａ１との重なりは無視する。また、これについては、後述する図８、図９に表したバッターボックスＢ１、Ｂ２、キャッチャーボックスＢ３及び図４、図５、図１０、図１１に表したバッターボックスＢ４、Ｂ５、キャッチャーボックスＢ６も同様である。
図３を参照する。
【００３７】
（１）ホームベースとピッチャーズプレート（投手板：図示省略）の位置を決め、これらを結ぶ中心線４を基準として一塁、二塁及び三塁（何れも図示省略）の各塁の位置を所定の方法で決める。ホームベースと各塁を結ぶダイヤモンドを地面に線引きして作成する。消石灰を使用した線引きはまだしない。
【００３８】
（２）ソフトボール用の線引き補助器具Ａ１を用意し、補助器具本体１を図２に示すように折り畳んだ状態で、下側の基板１０ａに設けられているホームベース基準点１５ａ（基板１０、１０ａを図２と上下逆に畳んで置けば、基準点は基板１０に設けられているホームベース基準点１５になる）をホームベースの基端角部にあたる本塁一塁線５と本塁三塁線６の交点Ｄに重ね合わせて仮合わせをする。次に、下側の基板１０ａを接地させたまま上側の基板１０を回動させて図３に示すように展開し、基板１０、１０ａの前記中心線１７を前記中心線４に重ね合わせて、補助器具本体１の位置決めをする。
【００３９】
（３）基準部材１２、１２、１２ａ、１２ａを回動させて開き、各型部材２をそれぞれ短尺部２０を基準部材１２、１２ａの端縁部に合わせてつなぐようにして置く。各型部材２は、長尺部２１の方向を中心線４と直角にする。このとき、各型部材２の先端部のライン基準点２３に前記ダイヤモンドの本塁一塁線５と本塁三塁線６が掛かっている。なお、ダイヤモンドを前記のように予め設けずに、各型部材２を前記のように配置した後で、各型部材２の先端部のライン基準点２３を本塁一塁線５と本塁三塁線６の方向の基準（目安）として、ダイヤモンドを作成してもよい。
【００４０】
（４）基準部材１２側（図３で上側）の各型部材２の長尺部２１の端縁部をバッターボックスＢ１、Ｂ２の前後端部の位置とし、長尺部２１の長さをバッターボックスＢ１、Ｂ２の幅方向の両端部として、長方形状の左右側のバッターボックスＢ１、Ｂ２の外枠線を地面に線引きして作成する。消石灰を使用した線引きはまだしない。
【００４１】
（５）補助器具本体１後部側の基板１０ａの後端縁部１０１に沿って地面にけがき線で基準線Ｅを引いておく。補助器具本体１を後方へずらし、二枚の型部材２を並べて長尺部２１の一端部を前記基準線Ｅに合わせて縦方向にし、更に基板１０、１０ａを展開した補助器具本体１を各型部材２の長尺部２１の後端部につなぐように、且つ中心線１７を前記中心線４の延長線に重ね合わせて縦に配置する。また、他の二枚の型部材２は、後部側の基板１０ａの基準部材１２ａ、１２ａの両側に前記（３）の手順と同様に配置する。
【００４２】
この状態で、補助器具本体１後端部に配置した各型部材２の後端縁部がキャッチャーボックスＢ３の後部の外枠線の位置となり、これら各型部材２の両側先端部と前記バッターボックスＢ１、Ｂ２のそれぞれの縦の外枠線とをつなぐ線がキャッチャーボックスＢ３の幅方向両側の縦の外枠線の位置となる。このようにしてバッターボックスＢ１、Ｂ２の外枠線の後方にキャッチャーボックスＢ３の外枠線を地面に線引きして作成する。
【００４３】
（６）バッターボックスＢ１、Ｂ２とキャッチャーボックスＢ３の外枠線を前記のように線引きした後、補助器具本体１と各型部材２を片付け、各ボックスＢ１、Ｂ２、Ｂ３をつくっている外枠線が外縁となるように消石灰を使用した線引きを行う。なお、補助器具本体１は、基準部材１２、１２、１２ａ、１２ａを折り畳み、更に基板１０、１０ａを折り畳むことで収納や持ち運びに便利なように小さくすることができる。
【００４４】
図４を参照し、野球用の線引き補助器具Ａ２について説明する。
線引き補助器具Ａ２は、前記ソフトボール用の線引き補助器具Ａ１とは、主に各構成部材の寸法が異なるだけで、基本的構造は同一であるので、図４において、線引き補助器具Ａ１と同一または同等箇所には同一の符号を付して示し、構造については相違する点を主に説明し、重複する説明は省略する。
【００４５】
基板１０、１０ａの幅はホームベースと同じ幅（ソフトボール用と同様、17インチ(約43.18cm)）に形成されている。また、基板１０、１０ａを展開したときの全体の長さは、野球用のバッターボックスＢ４、Ｂ５の長さ、72インチ（約182.88cm）と同じ長さに形成されている。基板１０、１０ａを展開したときの長手方向の両端縁部は、後述するホームベース基準点１５又は１５ａを本塁一塁線５と本塁三塁線６（何れもファウルライン）の交点Ｄ（図３参照）に合わせて前記ベースマーク１９又は１９ａをホームベースの位置に重ねたときに、作成するバッターボックスＢ４、Ｂ５の前後の外枠線の位置に合うようになっている。
【００４６】
各基準部材１２、１２ａは、所要の幅（ホームベースの幅方向端部からバッターボックスＢ４、Ｂ５の内枠線までの規格幅で、ソフトボール用と同様、6インチ（約15.24cm）である。なお、型部材２の短尺部２０の長さは13インチ（約33.02cm）に設定されており、この長さを後述する図５で説明するキャッチャーボックスＢ６の作成で利用する。型部材２の長尺部２１の長さはバッターボックスＢ４、Ｂ５の幅、48インチ（約121.92cm）と同じ長さに形成されている。
【００４７】
なお、線引き補助器具Ａ２では、前記線引き補助器具Ａ１の各型部材２のライン基準点２３と異なり、各型部材２の長尺部２１のほぼ中間部の上面側に表してあるライン基準点２３ａを基準点として使用する。また、各型部材２の長尺部２１の幅が3.5インチ（約8.89cm）に設定されている。各型部材２の短尺部２０に近い長尺部２１の基部寄りには、キャッチャーボックスＢ６を作成するときにキャッチャーボックスＢ６の幅の基準とするキャッチャーボックス基準点２４が設けられている。
【００４８】
線引き補助器具Ａ２を使用し、野球用のバッターボックスＢ４、Ｂ５及びキャッチャーボックスＢ６の線引きを行う場合について説明する。
図４を参照する。
【００４９】
（１）ホームベースとピッチャーズプレートの位置を決め、これらを結ぶ中心線４を基準として一塁、二塁及び三塁（何れも図示省略）の各塁の位置を所定の方法で決める。ホームベースと各塁を結ぶダイヤモンドを地面に線引きして作成する。消石灰を使用した線引きはまだしない。
【００５０】
（２）野球用の線引き補助器具Ａ２を用意し、補助器具本体１を折り畳んだ状態（参考：図２）で、下側の基板１０ａに設けられているホームベース基準点１５ａ（基板１０と１０ａを上下逆に畳んで置けば、基準点は基板１０に設けられているホームベース基準点１５になる）をホームベースの基端角部にあたる本塁一塁線５と本塁三塁線６の交点Ｄに重ね合わせて仮合わせをする。次に、下側の基板１０ａを接地させたまま上側の基板１０を回動させて展開し（参考：図３）、基板１０、１０ａの中心線１７を前記中心線４に重ね合わせて、補助器具本体１の位置決めをする。
【００５１】
（３）基準部材１２、１２、１２ａ、１２ａを回動させて開き、各型部材２をそれぞれ短尺部２０を基準部材１２、１２ａの端縁部に合わせてつなぐようにして置く。各型部材２は、長尺部２１の方向を中心線４と直角にする。このとき、各型部材２のライン基準点２３ａに前記ダイヤモンドの本塁一塁線５と本塁三塁線６が掛かっている。なお、ダイヤモンドを前記のように予め設けずに、各型部材２を前記のように配置した後で、各型部材２のライン基準点２３ａを本塁一塁線５と本塁三塁線６の方向の基準（目安）として、ダイヤモンドを作成してもよい。
【００５２】
（４）基準部材１２側（図４で上側）の各型部材２の長尺部２１の端縁部をバッターボックスＢ４、Ｂ５の前後端部の位置とし、長尺部２１の長さをバッターボックスＢ４、Ｂ５の幅方向の両端部として、長方形状の左右側のバッターボックスＢ４、Ｂ５の外枠線を地面に線引きして作成する。消石灰を使用した線引きはまだしない。
【００５３】
（５）補助器具本体１後部側の基板１０ａの後端縁部１０１に沿って地面にけがき線で基準線Ｅを引いておく。補助器具本体１を後方へずらし、前記基準線Ｅから本塁一塁線５と本塁三塁線６の交点Ｄに向けて3.5インチ（約8.89cm）離れたところの地面に基準線Ｅと平行に、けがき線で基準線Ｆを線引きする。なお、この場合の寸法設定は、型部材２の長尺部２１の幅を利用して行う。そして、この基準線Ｆに基板１０、１０ａを展開した補助器具本体１前部側の基板１０の前端縁部１００を合わせ、且つ中心線１７を前記中心線４の延長線に重ね合わせて縦に配置する。また、各型部材２のうち二枚は、後部側の基板１０ａの基準部材１２ａ、１２ａの両側に前記（３）の手順と同様に配置する。
【００５４】
この状態で、補助器具本体１の前後両端部に配置した各型部材２のキャッチャーボックス基準点２４を縦方向に結ぶ各線が、キャッチャーボックスＢ６の幅方向両側の縦の外枠線の位置となる。そして、補助器具本体１の後端部に配置した各型部材２の長尺部２１の後端縁部がキャッチャーボックスＢ６の後部の外枠線の位置となる。このようにしてバッターボックスＢ４、Ｂ５の外枠線の後方にキャッチャーボックスＢ６の外枠線を地面に線引きして作成する。
【００５５】
（６）バッターボックスＢ４、Ｂ５とキャッチャーボックスＢ６の外枠線を前記のように線引きした後、補助器具本体１と各型部材２を片付け、各ボックスＢ４、Ｂ５、Ｂ６をつくっている外枠線が外縁となるように消石灰を使用した線引きを行う。なお、補助器具本体１は、基準部材１２、１２、１２ａ、１２ａを折り畳み、更に基板１０、１０ａを折り畳むことで収納や持ち運びに便利なように小さくすることができる。
【００５６】
ここで、図５を参照して、キャッチャーボックス作成の他例を説明する。
前記したように、野球用では、型部材２の短尺部２０の長さは13インチ（約33.02cm）に設定されているので、これを利用してキャッチャーボックスＢ６の作成を前記（５）とは異なる方法で行うことができる。
【００５７】
具体的には、前記（５）の手順で補助器具本体１を後方へずらし、基準線Ｆに基板１０、１０ａを展開した補助器具本体１前部側の基板１０の前端縁部１００を合わせ、且つ中心線１７を前記中心線４の延長線に重ね合わせて縦に配置した後、基準部材１２、１２、１２ａ、１２ａを回動させて基板１０、１０ａ側に折り畳む。そして、各型部材２を基板１０、１０ａの幅方向の両側端縁部に長尺部２１を当てるようにして各二枚ずつ配置する。各型部材２は、基板１０、１０ａの長手方向の両端縁部に短尺部２０を面一に合わせるので、長尺部２１は一部が重なる。
【００５８】
このように各型部材２を配置した状態では、各型部材２の短尺部２０の先端縁部の位置が、キャッチャーボックスＢ６の幅方向両側の縦の外枠線の位置となる。そして、補助器具本体１の後端部に配置した各型部材２の長尺部２１の後端縁部がキャッチャーボックスＢ６の後部の外枠線の位置となる。このようにしてバッターボックスＢ４、Ｂ５の外枠線の後方にキャッチャーボックスＢ６の外枠線を地面に線引きして作成する。
【００５９】
図６、図７及び図８を参照する。
線引き補助器具Ａ３は、補助器具本体３と、補助器具本体３に取り付けられた四枚の板状の型部材３２、３２、３２ａ、３２ａを備えており、それらが一体となった一体型である。また、線引き補助器具Ａ３は、野球用及びソフトボール用として使用できる兼用型である。野球用とソフトボール用は、それぞれに異なる規格寸法に対応することができれば、基本的構造は同一とすることができるので、兼用型の作製が可能である。
なお、以下に説明する線引き補助器具Ａ３において、野球用とソフトボール用の各機能をそれぞれ選択して設けることにより、野球用とソフトボール用の専用の線引き補助器具を作製することもできる。
【００６０】
補助器具本体３は、所要の長さ及び幅を有する二枚の基板３０、３０ａを有している。基板３０、３０ａは、それぞれの長手方向の一方の端縁部を蝶番３１を介して連結されている。基板３０、３０ａは、蝶番３１を中心として、一方の面側（図６で上面側）へ回動させて基板３０、３０ａ同士を合わせる方向へ折り畳むことができる。
【００６１】
基板３０、３０ａの幅はホームベースと同じ幅（野球用、ソフトボール用の何れも17インチ(約43.18cm)）に形成され、基板３０、３０ａ上面の蝶番３１を挟んだ位置には、ホームベースの位置を示すベースマーク３９、３９ａが蝶番３１を対称軸とした線対称位置に表してある。基板３０、３０ａの展開したときに表れる表面（図６で上面側）には、長手方向に中心線３７が表されている。前記ベースマーク３９、３９ａの基端角部は、中心線３７上にあり、後述するホームベース基準点３５、３５ａとなっている。
なお、基板３０、３０ａのベースマーク３９、３９ａとは反対側の面には、ベースマーク３９、３９ａと同様のベースマーク３９ｃ、３９ｃ（図７（ｂ）参照：基板３０ａ側は図では見えない）が設けられている。
【００６２】
基板３０、３０ａを展開したときの全体の長さは、野球用のバッターボックスＢ４、Ｂ５の長さ、72インチ（約182.88cm）と同じ長さに形成されている。基板３０、３０ａの長手方向の両端縁部は、後述するホームベース基準点３５又は３５ａを本塁一塁線５と本塁三塁線６の交点Ｄに合わせたときに、野球用のバッターボックスＢ４、Ｂ５の前後の外枠線の位置に合うようになっている（後述図１０参照）。
【００６３】
基板３０、３０ａの長手方向において蝶番３１と反対側端部には、基板３０の幅方向両側に細長い長方形の板状の型部材３２、３２が取り付けられ、基板３０ａの幅方向両側に同じく長方形の板状の型部材３２ａ、３２ａが取り付けられている。各型部材３２、３２、３２ａ、３２ａの幅は、3.5インチ（約8.89cm）に設定されている。
【００６４】
各型部材３２、３２、３２ａ、３２ａは、基端側をそれぞれ軸３３を介し基板３０、３０ａの表面方向に回動自在に取り付けられている。なお、符号３３０は、基板３０、３０ａと各型部材３２、３２、３２ａ、３２ａの厚み分の隙間をもって設けられ、各型部材３２、３２、３２ａ、３２ａの回動を案内するガイド板である。
【００６５】
各型部材３２、３２、３２ａ、３２ａは、長手方向のほぼ中央で蝶番３２２を介し板部材３２０、３２１を連結した構造で、先部側の板部材３２１は一方の面側（図６で上面側）へ回動させて基部側の板部材３２０と合わせるように折り畳むことができる。各型部材３２、３２、３２ａ、３２ａは、折り畳んだ状態では基板３０、３０ａの内側に回動させて収容することができる（図７（ａ）参照）。更に、基板３０、３０ａを折り畳めば、より小さくすることができる（図７（ｂ）参照）。
【００６６】
各型部材３２、３２、３２ａ、３２ａは、所要の幅を有し、各型部材３２、３２、３２ａ、３２ａを外側へ回動させて、その方向を基板３０、３０ａと直角になるよう設定したときに、幅方向の一方の端縁部が基板３０、３０ａの長手方向の両端縁部と面一になるようにしてある。
【００６７】
なお、各型部材３２、３２、３２ａ、３２ａの方向を基板３０、３０ａの長手方向と直角に設定する目安とするために、板部材３２０には合わせライン３２９が設けられ、ガイド板３３０には合わせライン３３１が設けられている（後述図１１参照）。各型部材３２、３２、３２ａ、３２ａの方向は、合わせライン３２９を合わせライン３３１に合わせたときに、基板３０、３０ａの長手方向と直角になる。
【００６８】
各型部材３２、３２、３２ａ、３２ａの基部寄り（回動中心である軸３３寄り）の表面（図６で上面）には、マークＭ１が設けられている。マークＭ１は、基板３０、３０ａの幅方向端縁部から所要の間隔（ホームベースの幅方向端部からバッターボックスの内枠線までの規格幅で、ソフトボール用（Ｂ１、Ｂ２）、野球用（Ｂ４、Ｂ５）の何れも6インチ（約15.24cm）をおいて設けられている。
【００６９】
各型部材３２、３２、３２ａ、３２ａの先部寄りの表面（図６で上面）には、マークＭ２が設けられている。マークＭ２と前記マークＭ１との間隔は、ソフトボール用のバッターボックスＢ１、Ｂ２の幅、36インチ（約91.44cm）と同じ間隔に形成されている（図８参照）。また、各型部材３２、３２、３２ａ、３２ａの長さは、その先端部と前記マークＭ１との間隔が、野球用のバッターボックスＢ４、Ｂ５の幅、48インチ（約121.92cm）と同じ間隔になるよう形成されている（後述図１０参照）。
【００７０】
各型部材３２、３２、３２ａ、３２ａの板部材３２１のマークＭ４より先端側と板部材３２０のマークＭ１、Ｍ３間には、互いに磁着することができる磁石３２３、３２６が設けられている。また、各板部材３２０の裏面側には磁石３２４が設けられ、前記基板３０、３０ａの蝶番３１寄りの左右両端側の上面側には、前記磁石３２４と磁着する磁石３２５が設けられている。
【００７１】
各型部材３２、３２、３２ａ、３２ａの前記マークＭ１よりやや先端側の表面（図６で上面）には、マークＭ３が設けられている。マークＭ３は、各型部材３２、３２、３２ａ、３２ａの方向を基板３０、３０ａと直角になるよう設定したときに、基板３０、３０ａの幅方向に隣接する型部材３２、３２同士及び型部材３２ａ、３２ａ同士の各マークＭ３の間隔が野球用のキャッチャーボックスＢ６の幅と同じ間隔になるように設けられている。
【００７２】
また、各型部材３２、３２、３２ａ、３２ａの先部側の板部材３２１には、板部材３２１の先端と前記マークＭ２の間にマークＭ４が設けられている。マークＭ４は、図８に示すように、各型部材３２又は３２ａ（図８では型部材３２）の先部側の板部材３２１を回動して展開し、各型部材３２又は３２ａの方向を基板３０及び３０ａと反対側へ伸ばして基板３０及び３０ａの長手方向と平行にしたときに、各マークＭ４と各型部材３２又は３２ａが設けられている基板３０又は３０ａ（図８では基板３０）とは反対側の基板３０又は３０ａ（図８では基板３０ａ）の端縁部の距離が、ソフトボール用のキャッチャーボックスＢ３の前後方向の長さと同じになるように設けられている。
【００７３】
更に、各型部材３２、３２、３２ａ、３２ａの先部側の板部材３２１には、前記マークＭ２、Ｍ４が設けられている面とは反対側の面（図７（ａ）参照、図６では下面側）の先端寄りにマークＭ５が設けられている。マークＭ５は、図８に示すように、各型部材３２又は３２ａの先部側の板部材３２１を蝶番３２２を中心として折り曲げ、その方向を基板３０又は３０ａの長手方向と平行にしたときに、軸３３が設けられている側の基板３０又は３０ａの長さ方向の前端縁部３００と後端縁部３０１からの距離が12インチ（約30.48cm）になるように設けられている。つまり、前記の状態のマークＭ５と、このマークＭ５とは反対側の基板３０又は３０ａ（図８では基板３０ａ）の長さ方向の後端縁部３０１との間隔は、ソフトボール用のバッターボックスＢ１、Ｂ２の長さと同じになる。
【００７４】
基板３０、３０ａの中央部には、長方形状の窓部３４、３４ａが基板３０、３０ａの表裏面を貫通して設けられている。各窓部３４、３４ａにおいて蝶番３１に近い側の短辺部中央のホームベース基準点３５、３５ａは、線引き作業時、本塁一塁線５と本塁三塁線６の交点Ｄに合わせる部分となっている（図８及び後述図１０参照）。
【００７５】
また、基板３０、３０ａの長手方向において蝶番３１と反対側の両端縁部の中央部には、把手口３６、３６ａが表裏面を貫通して設けられている。把手口３６、３６ａは、野球用として、図１１（ａ）に示すように、把手口３６の後端縁部３６９と基板３０の前端縁部３００間の寸法が3.5インチ（約8.89cm）に設定されており、この長さを後述する図１１で説明する野球用のキャッチャーボックスＢ６の作成で利用する。なお、この構造については前記野球用の線引き補助器具Ａ２の把手口１６、１６ａに採用することもできる。
【００７６】
また、ソフトボール用として、各窓部３４、３４ａの長手方向の長さが12インチ（約30.48cm）となるように形成されており、この長さを後述する図９で説明するソフトボール用のバッターボックスＢ１、Ｂ２の作成で利用する。なお、前記のように線引き補助器具Ａ３は、型部材３２、３２ａを有する基板３０、３０ａが蝶番３１を対称軸とした線対称形状に形成されており、線引き作業時、基板３０、３０ａのどちら側も使用できるので、作業性に優れている。
【００７７】
（作用）
線引き補助器具Ａ３を使用し、ソフトボール用のバッターボックス及びキャッチャーボックスの線引きを行う場合について説明する。
図８を参照する。
【００７８】
（１）ホームベースとピッチャーズプレートの位置を決め、これらを結ぶ中心線４を基準として一塁、二塁及び三塁（何れも図示省略）の各塁の位置を所定の方法で決める。ホームベースと各塁を結ぶダイヤモンドを地面に線引きして作成する。消石灰を使用した線引きはまだしない。
【００７９】
（２）線引き補助器具Ａ３の補助器具本体３を図７（ｂ）に示すように折り畳んだ状態で、下側の基板３０ａに設けられているホームベース基準点３５ａ（基板３０と３０ａを図７（ｂ）と逆に畳んで置けば基板３０に設けられているホームベース基準点３５になる）をホームベースの基端角部にあたる本塁一塁線５と本塁三塁線６の交点Ｄに重ね合わせて仮合わせをする。次に、下側の基板３０ａを接地させたまま上側の基板３０を回動させて図８に示すように展開し、基板３０、３０ａの中心線３７を前記中心線４に重ね合わせて、補助器具本体３の位置決めをする。
【００８０】
（３）各型部材３２、３２、３２ａ、３２ａを回動させて開き、後部の基板３０ａ側の各型部材３２ａ、３２ａについては、その方向を中心線４と直角にし、先部側の板部材３２１を展開し、後部の基板３０ａの各型部材３２ａ、３２ａの後端縁部３２８をバッターボックスＢ１、Ｂ２の後端部とする。また、後部側の基板３０ａの後端縁部３０１に沿って地面にけがき線で基準線Ｅを引いておく。前部の基板３０側の各型部材３２、３２については、板部材３２１を展開しないで中心線４と平行になるまで回動させる。
【００８１】
（４）前部の基板３０側の各型部材３２、３２のマークＭ５の位置にけがき線にて目印線（図示省略）を入れておく。次に、中心線３７と中心線４の重なりがずれないようにして、補助具本体３を前方（ピッチャーズプレート方向）へずらし、各型部材３２、３２を中心線３７と直角になる方向に戻して板部材３２１を展開し、各型部材３２、３２の前端縁部３２７を前記マークＭ５の位置の目印線に合わせ、この前端縁部３２７をバッターボックスＢ１、Ｂ２の前端部とする。更に、各型部材３２、３２、３２ａ、３２ａのマークＭ１とマークＭ２の間隔をバッターボックスＢ１、Ｂ２のそれぞれの幅方向両端部とし、長方形状の左右側のバッターボックスＢ１、Ｂ２の外枠線を地面に線引きして作成する。消石灰を使用した線引きはまだしない。
【００８２】
（５）線引き補助器具Ａ３を後方へずらし、前部の基板３０側の各型部材３２、３２を基板３０の長手方向と平行にし、中心線３７を中心線４の延長線に重ね合わせ、更に各型部材３２、３２のマークＭ４を前記基準線Ｅに合わせて基板３０、３０ａを縦に配置する。また、基板３０ａ側の各型部材３２ａ、３２ａは、前記（４）の手順において中心線１７と直角になるように板部材３２１が展開されている。
【００８３】
この状態で、補助器具本体３の基板３０ａ後端部の各型部材３２ａ、３２ａの後端縁部３２８がキャッチャーボックスＢ３の後部の外枠線の位置となり、これら各型部材３２ａ、３２ａのマークＭ２と前記バッターボックスＢ１、Ｂ２のそれぞれの縦の外枠線とをつなぐ線がキャッチャーボックスＢ３の幅方向両側の縦の外枠線の位置となる。このようにしてバッターボックスＢ１、Ｂ２の外枠線の後方にキャッチャーボックスＢ３の外枠線を地面に線引きして作成する。
【００８４】
（６）バッターボックスＢ１、Ｂ２とキャッチャーボックスＢ３の外枠線を前記のように線引きした後、線引き補助器具Ａ３を片付け、各ボックスＢ１、Ｂ２、Ｂ３をつくっている外枠線が外縁となるように消石灰を使用した線引きを行う。なお、線引き補助器具Ａ３は、各型部材３２、３２、３２ａ、３２ａを図６に示す状態から板部材３２１を回動させて磁石３２６、３２３を磁着させて折り畳み、次に軸３３を中心として回動させ、基板３０、３０ａの内側に収めて磁石３２４、３２５を磁着させ、更に基板３０、３０ａを折り畳むことで収納や持ち運びに便利なように小さくすることができる。
【００８５】
ここで、図９を参照し、バッターボックス作成の他例を説明する。
前記したように、ソフトボール用では、各窓部３４、３４ａの長手方向の長さが12インチ（約30.48cm）となるように形成されているので、これを利用してバッターボックスＢ１、Ｂ２の作成を前記（３）、（４）とは異なる方法で行うことができる。
【００８６】
具体的には、前記（３）の手順で、各型部材３２、３２、３２ａ、３２ａを回動させて中心線１７と直角になるように開き、後部の基板３０ａ側の各型部材３２、３２、３２ａ、３２ａの板部材３２１を展開した後、後部側の各型部材３２ａ、３２ａの後端縁部３２８に沿ってけがき線で基準線Ｅを引いておく。また、一方の窓部３４の長手方向の前端縁部３４０に沿って目印線（符号省略）を引いておく。
【００８７】
次に、中心線１７と中心線４の重なりがずれないようにして、補助器具本体１を前方（ピッチャーズプレート方向）へずらし、前記窓部３４の後端縁部３４１を前記目印線に合わせるようにする。これにより、補助器具本体１は窓部３４の長手方向の長さである12インチ（約30.48cm）だけ前方へ移動する（図９で想像線により表示）。
【００８８】
そして、前部の基板３０側の各型部材３２、３２の前端縁部３２７と前記基準線ＥをバッターボックスＢ１、Ｂ２の前後端部とし、各型部材３２、３２、３２ａ、３２ａのマークＭ１とマークＭ２の間隔をバッターボックスＢ１、Ｂ２のそれぞれの幅方向両端部とし、長方形状の左右側のバッターボックスＢ１、Ｂ２の外枠線を地面に線引きして作成する。
【００８９】
（作用）
線引き補助器具Ａ３を使用し、野球用のバッターボックス及びキャッチャーボックスの線引きを行う場合について説明する。
図１０を参照する。
【００９０】
（１）ホームベースとピッチャーズプレートの位置を決め、これらを結ぶ中心線４を基準として一塁、二塁及び三塁（何れも図示省略）の各塁の位置を所定の方法で決める。ホームベースと各塁を結ぶダイヤモンドを地面に線引きして作成する。消石灰を使用した線引きはまだしない。
【００９１】
（２）線引き補助器具Ａ３の補助器具本体３を図７（ｂ）に示すように折り畳んだ状態で、下側の基板３０ａに設けられているホームベース基準点３５ａ（基板３０と３０ａを図７（ｂ）と上下逆に畳んで置けば、基準線は基板３０に設けられているホームベース基準点３５になる）をホームベースの基端角部にあたる本塁一塁線５と本塁三塁線６の交点Ｄに重ね合わせて仮合わせをする。次に、下側の基板３０ａを接地させたまま上側の基板３０を回動させて図１０に示すように展開し、基板３０、３０ａの中心線３７を前記中心線４に重ね合わせて、補助器具本体３の位置決めをする。
【００９２】
（３）各型部材３２、３２、３２ａ、３２ａを回動させて開き、それぞれの先部側の板部材３２１を展開し、その方向を中心線４と直角にする。
【００９３】
（４）前部の基板３０側の各型部材３２、３２の前端縁部３２７と、後部の基板３０ａ側の各型部材３２ａ、３２ａの後端縁部３２８をバッターボックスＢ４、Ｂ５の前後端部とし、各型部材３２、３２と３２ａ、３２ａのそれぞれの先端部とマークＭ１の間隔をバッターボックスＢ４、Ｂ５の幅方向の両端部とし、長方形状の左右側のバッターボックスＢ４、Ｂ５の外枠線を地面に線引きして作成する。消石灰を使用した線引きはまだしない。
【００９４】
（５）線引き補助器具Ａ３後部側の基板３０ａの後端縁部に沿って地面にけがき線で基準線Ｅを引いておく。前記基準線Ｅから本塁一塁線５と本塁三塁線６の交点Ｄに向けて3.5インチ（約8.89cm）離れたところの地面に基準線Ｅと平行に、けがき線で基準線Ｆを線引きする。なお、この場合の寸法設定は、型部材３２又は３２ａの幅を利用して行う。そして、線引き補助器具Ａ３を後方へずらし、この基準線Ｆに基板３０、３０ａを展開した補助器具本体３前部側の基板３０の前端縁部３００を合わせ、且つ中心線３７を前記中心線４の延長線に重ね合わせて縦に配置する。なお、基板３０、３０ａの各型部材３２、３２、３２ａ、３２ａは、前記と同様に中心線４の延長線と直角になるように拡げておく。
【００９５】
この状態で、各型部材３２、３２、３２ａ、３２ａのマークＭ３を縦方向に結ぶ各線がキャッチャーボックスＢ６の幅方向両側の縦の外枠線の位置となる。そして、後部の基板３０ａの型部材３２ａ、３２ａの後端縁部がキャッチャーボックスＢ６の後部の外枠線の位置となる。このようにしてバッターボックスＢ４、Ｂ５の外枠線の後方にキャッチャーボックスＢ６の外枠線を地面に線引きして作成する。
【００９６】
（６）バッターボックスＢ４、Ｂ５とキャッチャーボックスＢ６の外枠線を前記のように線引きした後、線引き補助器具Ａ３を片付け、各ボックスＢ４、Ｂ５、Ｂ６をつくっている外枠線が外縁となるように消石灰を使用した線引きを行う。
【００９７】
図１１を参照して、キャッチャーボックス作成の他例を説明する。
前記したように、把手口３６の後端縁部３６９と基板３０の前端縁部３００間の寸法が3.5インチ（約8.89cm）に設定されているので、これを利用してキャッチャーボックスＢ６の作成を前記（５）とは異なる方法で行うことができる。
【００９８】
具体的には、前記（５）の手順で、線引き補助器具Ａ３後部側の基板３０ａの後端縁部に沿って地面にけがき線で基準線Ｅを引く（図１１（ｂ）参照）。その後、中心線３７と中心線４の重なりがずれないようにして、線引き補助器具Ａ３を後方へずらして前部側の基板３０の把手口３６の後端縁部３６９を前記基準線Ｅに合わせる（図１１（ｃ）参照）。
【００９９】
これにより、補助器具本体３の配置は、前記図１０で示した配置と同様になり、同様にしてキャッチャーボックスＢ６の幅方向両側の縦の外枠線と長手方向両側の横の外枠線の位置を決めてバッターボックスＢ４、Ｂ５の外枠線の後方にキャッチャーボックスＢ６の外枠線を地面に線引きして作成し、各ボックスＢ４、Ｂ５、Ｂ６をつくっている外枠線が外縁となるように消石灰を使用した線引きを行う。
【０１００】
なお、本明細書で使用している用語と表現は、あくまでも説明上のものであって、なんら限定的なものではなく、本明細書に記述された特徴およびその一部と等価の用語や表現を除外する意図はない。また、本考案の技術思想の範囲内で、種々の変形態様が可能であるということは言うまでもない。
【符号の説明】
【０１０１】
Ａ１  線引き補助器具
１  補助器具本体
１０、１０ａ  基板
１００  前端縁部
１０１  後端縁部
１１  蝶番
１２  基準部材
１２ａ  基準部材
１３  蝶番
１４  窓部
１５、１５ａ  ホームベース基準点
１６  把手口
１７  中心線
１８  磁石
１９、１９ａ、１９ｃ  ベースマーク
２  型部材
２０  短尺部
２１  長尺部
２２  把手口
２３  ライン基準点
２４  キャッチャーボックス基準点
Ａ２  線引き補助器具
２３ａ  ライン基準点
Ａ３  線引き補助器具
３  補助器具本体
３０、３０ａ  基板
３００  前端縁部
３０１  後端縁部
３１  蝶番
３２、３２ａ  型部材
３２０  板部材
３２１  板部材
３２２  蝶番
３２３、３２４、３２５、３２６  磁石
３２７  前端縁部
３２８  後端縁部
３３  軸
３３０  ガイド板
３４  窓部
３４０  前端縁部
３４１  後端縁部
３５、３５ａ  ホームベース基準点
３６  把手口
３７  中心線
３９、３９ａ、３９ｃ  ベースマーク
Ｍ１  マーク
Ｍ２  マーク
Ｍ３  マーク
Ｍ４  マーク
Ｍ５  マーク
４  中心線
Ｄ  交点
Ｅ  基準線
Ｆ  基準線
Ｂ１、Ｂ２  バッターボックス（ソフトボール用）
Ｂ３  キャッチャーボックス（ソフトボール用）
Ｂ４、Ｂ５  バッターボックス（野球用）
Ｂ６  キャッチャーボックス（野球用）
５  本塁一塁線
６  本塁三塁線
【図１】
0003164226.tif 000003
【図２】
0003164226.tif 000004
【図３】
0003164226.tif 000005
【図４】
0003164226.tif 000006
【図５】
0003164226.tif 000007
【図６】
0003164226.tif 000008
【図７】
0003164226.tif 000009
【図８】
0003164226.tif 000010
【図９】
0003164226.tif 000011
【図１０】
0003164226.tif 000012
【図１１】
0003164226.tif 000013